(57)【要約】【課題】内容液の液位を容易に視認可能な容器を提供する。【解決手段】軸直方向に延び内容液を収容する収容空間１００ａを有する収容部３４と、収容部の軸直方向上部に設けられた口部とを備え、収容部は、底面部と、底面部の周縁から立設する胴部４０とを備える。胴部は、軸直方向に延び、収容部に収容された内容液の液位を視認可能な液位確認部２１を有する。液位確認部は、軸直方向に延び可視光が透過可能な透過部５１と、軸直方向に延び前記可視光を非透過とする非透過部５２とを有し、透過部と非透過部の間に収容空間と接続し軸直方向に延びる第２収容空間２１ａを形成する。非透過部は、透過部及び第２収容空間を透過した可視光の光路上に配置されている。【選択図】図３
2018199522.tif 000002
【特許請求の範囲】
【請求項１】
軸直方向に延び内容液を収容する収容空間を有する収容部と、該収容部の前記軸直方向上部に設けられた口部とを備え、
前記収容部は、底面部と、該底面部の周縁から立設する胴部とを備え、
前記胴部は、前記軸直方向に延び、前記収容部に収容された内容液の液位を視認可能な液位確認部を有し、
前記液位確認部は、前記軸直方向に延び可視光が透過可能な透過部と、前記軸直方向に延び前記可視光を非透過とする非透過部とを有し、前記透過部と前記非透過部の間に前記収容空間と接続し前記軸直方向に延びる第２収容空間を形成し、
前記非透過部は、前記透過部及び前記第２収容空間を透過した前記可視光の光路上に配置されていることを特徴とする容器。
【請求項２】
前記液位確認部は、前記胴部の外周面から外方に突出して前記軸直方向に延びる突条であることを特徴とする請求項１記載の容器。
【請求項３】
前記液位確認部は、前記胴部の外周面に内方に窪んで形成された窪み部から外方に突出し、最も外方側の面が前記胴部の外周面と面一の位置に配置された突条であることを特徴とする請求項１記載の容器。
【請求項４】
前記胴部は、前記軸線方向視において幅方向に間隔をあけて配置され長手方向に延びる一対の側面部を有し、
前記液位確認部は、前記一対の側面部のうち一方の端部に接続された前記透過部と、前記一対の側面部のうち他方の端部に接続された前記非透過部とが接続して形成された角部を有することを特徴とする請求項１記載の容器。
【請求項５】
前記軸直方向と直交する断面において、前記透過部の周長は、前記液位確認部の周長の３０％以上、７０％以下であることを特徴とする請求項２から４のいずれか一項に記載の容器。
【請求項６】
前記軸直方向と直交する断面において、前記第２収容空間の周方向の一端と他端との距離は、３ｍｍ以上、１５ｍｍ以下であることを特徴とする請求項２から５のいずれか一項に記載の容器。
【請求項７】
前記透過部の曇り度は、ヘイズ値で７０％以上、９８％以下であり、
前記非透過部の前記第２収容空間に臨む面の色と、前記内容液の色との明度差は、４以上であることを特徴とする請求項２から６のいずれか一項に記載の容器。
【請求項８】
合成樹脂材で形成されており、
前記液位確認部は、前記胴部におけるパーティングライン上に配置されていることを特徴とする請求項１から６のいずれか一項に記載の容器。
【請求項９】
前記口部に装着される中栓を備え、
前記中栓は、前記軸直方向に延び注出側と逆側が開口する樋状の注出ノズルを有し、
前記液位確認部は、少なくとも前記胴部の周方向において、前記注出側と逆側の位置に配置されていることを特徴とする請求項１から８のいずれか一項に記載の容器。
【発明の詳細な説明】
【技術分野】
【０００１】
本発明は、容器に関するものである。
【背景技術】
【０００２】
近年、ハンドソープやボディーソープ等の液体洗剤等の容器は、使用により残量が少なくなった際に、詰め替え容器（パウチ、超軽量容器）から内容液を補充して繰り返し使用されることが多くなっている。しかし、容器の外側から内容液の液位が確認できないと、内容液の補充のタイミングが分かりづらい。
【０００３】
収容した内容液の液位を確認しやすい容器としては、例えば、容器の本体側面に、該本体側面を縦断する透明又は半透明の透視窓部が設けられた容器が知られている（例えば、特許文献１）。該容器では、透視窓部から容器内の内容液の液位が視認できるため、内容液の残量を把握できる。
【０００４】
ところが、特許文献１に記載された容器は、透視窓部が本体側面と面一に形成されているため、視認性が十分とはいえない。
【０００５】
そこで、特許文献２には、容器の胴部に上下方向に延び、収容部に収容された内容液の液位を視認可能で、胴部の外周面から外方に突き出た窓部が設けられる構成が開示されている。特許文献２の容器では、窓部が胴部の外周面から外方に突き出ているため、窓部が胴部の外周面と面一に形成されている場合と比較して液位を視認しやすくなっている。
【先行技術文献】
【特許文献】
【０００６】
【特許文献１】実用新案登録第３１０１１８８号公報
【特許文献２】特開２０１６−０７４４４５号公報
【発明の概要】
【発明が解決しようとする課題】
【０００７】
しかしながら、特許文献２に記載された容器においても、家庭内での照明の程度によっては液位が見えづらい等の問題があった。
【０００８】
本発明は、以上のような点を考慮してなされたもので、内容液の液位を容易に視認可能な容器を提供することを目的とする。
【課題を解決するための手段】
【０００９】
本発明の第１の態様に従えば、軸直方向に延び内容液を収容する収容空間を有する収容部と、該収容部の前記軸直方向上部に設けられた口部とを備え、前記収容部は、底面部と、該底面部の周縁から立設する胴部とを備え、前記胴部は、前記軸直方向に延び、前記収容部に収容された内容液の液位を視認可能な液位確認部を有し、前記液位確認部は、前記軸直方向に延び可視光が透過可能な透過部と、前記軸直方向に延び前記可視光を非透過とする非透過部とを有し、前記透過部と前記非透過部の間に前記収容空間と接続し前記軸直方向に延びる第２収容空間を形成し、前記非透過部は、前記透過部及び前記第２収容空間を透過した前記可視光の光路上に配置されていることを特徴とする容器が提供される。
【００１０】
また、上記本発明の一態様に係る容器において、前記液位確認部は、前記胴部の外周面から外方に突出して前記軸直方向に延びる突条であることを特徴とする。
【００１１】
また、上記本発明の一態様に係る容器において、前記液位確認部は、前記胴部の外周面に内方に窪んで形成された窪み部から外方に突出し、最も外方側の面が前記胴部の外周面と面一の位置に配置された突条であることを特徴とする。
【００１２】
また、上記本発明の一態様に係る容器において、前記胴部は、前記軸線方向視において幅方向に間隔をあけて配置され長手方向に延びる一対の側面部を有し、前記液位確認部は、前記一対の側面部のうち一方の端部に接続された前記透過部と、前記一対の側面部のうち他方の端部に接続された前記非透過部とが接続して形成された角部を有することを特徴とする。
【００１３】
また、上記本発明の一態様に係る容器において、前記軸直方向と直交する断面において、前記透過部の周長は、前記液位確認部の周長の３０％以上、７０％以下であることを特徴とする。
【００１４】
また、上記本発明の一態様に係る容器において、前記軸直方向と直交する断面において、前記第２収容空間の周方向の一端と他端との距離は、３ｍｍ以上、１５ｍｍ以下であることを特徴とする。
【００１５】
また、上記本発明の一態様に係る容器において、前記透過部の曇り度は、ヘイズ値で７０％以上、９８％以下であり、前記非透過部の前記第２収容空間に臨む面の色と、前記内容液の色との明度差は、４以上であることを特徴とする。
【００１６】
また、上記本発明の一態様に係る容器において、合成樹脂材で形成されており、前記液位確認部は、前記胴部におけるパーティングライン上に配置されていることを特徴とする。
【００１７】
また、上記本発明の一態様に係る容器において、前記口部に装着される中栓を備え、前記中栓は、前記軸直方向に延び注出側と逆側が開口する樋状の注出ノズルを有し、前記液位確認部は、少なくとも前記胴部の周方向において、前記注出側と逆側の位置に配置されていることを特徴とする。
【発明の効果】
【００１８】
本発明では、内容液の液位を容易に視認可能な容器を提供することが可能になる。
【図面の簡単な説明】
【００１９】
【図１】第１実施形態に係る容器１００の構成を示す外観斜視図である。
【図２】ノズルキャップ１０の構成を示す正面図である。
【図３】軸線方向と直交する容器本体１００Ａの部分断面図である。
【図４】図３におけるＡ−Ａ線視断面図である。
【図５】収容部３４へ詰め替え容器から内容液を補充する手順を示す図である。
【図６】（ａ）は第２実施形態に係る容器１１０の正面図、（ｂ）は、容器１１０の右側面図である。
【図７】図６（ａ）におけるＢ−Ｂ線視断面図である。
【図８】液位確認部２１の変形例を示す部分断面図である。
【図９】液位確認部２１の変形例を示す部分断面図である。
【発明を実施するための形態】
【００２０】
以下、本発明の容器の実施の形態を、図１ないし図９を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００２１】
[第１実施形態]
図１は、第１実施形態に係る容器１００の構成を示す外観斜視図である。容器１００は、容器本体１００Ａと、ノズルキャップ１０と、計量キャップ（図示せず）とを備えている。図１には、計量キャップを外した状態の容器本体１００Ａ及びノズルキャップ１０が示されている。図２は、ノズルキャップ１０の構成を示す正面図である。
【００２２】
ノズルキャップ１０は、容器本体１００Ａの上端に上下方向に延びる軸線Ｃに沿って形成された口部１０１に装着された中栓である。ノズルキャップ１０の上側には、内容物を計量する計量キャップが装着される。
【００２３】
ノズルキャップ１０は、例えば、ポリプロピレン等のオレフィン系合成樹脂を用いた射出成形により形成されている。ノズルキャップ１０は、嵌合部１１、ノズル基部１２及びノズル部（注出ノズル）１３を主に有し、互いに軸線Ｃを中心として構成されている。
【００２４】
以下の説明では、軸線Ｃに沿った方向を軸線方向（軸直方向）、軸線Ｃに直交する方向を径方向、軸線Ｃを中心とする軸周り方向を周方向として適宜説明する。また、軸線方向における計量キャップ側を上方（上側）、容器本体１００Ａ側を下方（下側）として適宜説明する。また、以下の説明では、内容物が液体であるものとして、内容液と称して記載する。
【００２５】
嵌合部１１は、ノズルキャップ１０の下端側にキャップ最大径となる環状凸部１４と、軸線Ｃに沿う環状凸部１４の上端に連続し環状凸部１４よりも径方向内側に位置する中間部１５と、軸線方向で中間部１５の環状凸部１４とは反対側の端部に連続するとともに中間部１５よりも径方向内側に位置する上部１６とを有している。上部１６には、計量キャップの雌ねじ部（図示せず）に螺合する雄ねじ部１７が周方向に形成されている。なお、図１においては、便宜上、雄ねじ部１７の図示を省略している。
【００２６】
中間部１５の内周面には、口部１０１の外周に周方向に形成された雄ねじ部と螺合する雌ねじ部（いずれも図示せず）が形成されている。なお、ノズルキャップ１０は、口部１０１と螺合するタイプではなく、例えば、圧入やアンダーカット部等の係合により、上方に抜けない構成であってもよい。
【００２７】
ノズル基部１２は、嵌合部１１の内側に同軸をなして設けられ、キャップ装着時に容器本体１００Ａの口部１０１内に挿入される。ノズル基部１２は、底面部２２を有する有底円筒状に形成されている。底面部２２には、注出用開口孔（図示せず）が形成されている。
【００２８】
ノズル部１３は、ノズル基部１２の底面部２２に立設され、軸線方向に沿って容器本体１００Ａとは反対側に向かって延出している。ノズル部１３は、注出用開口孔の周縁の一部を囲むように、軸線方向上方から見たときに、図１に示すように、軸線Ｃに向かって開口する断面Ｕ字形状の樋状に形成されている。
【００２９】
容器本体１００Ａは、軸線方向上方から見たときに、長方形となる直方体状に形成されている。容器本体１００Ａは、収容部３４と口部１０１とを備えている。収容部３４は、底面部３８と、底面部３８の周縁から上方に立設された胴部４０と、胴部４０の上端から上方に向けて漸次先細る肩部４２とを有している。肩部４２の上端に上記口部１０１が設けられている。
【００３０】
胴部４０は、軸線方向に延びる略四角筒状に形成されている。胴部４０は、軸線方向視において長手方向に間隔をあけて配置された側面４０ａと、軸線方向視において短手方向（幅方向）に間隔をあけて配置された側面４０ｂとを有している。胴部４０の一方の側面４０ａには、底面部３８側の端部から口部１０１側の端部にわたって、直線状に上下方向に延び、収容部３４に収容された内容液の液位を視認可能な液位確認部２１が設けられている。側面（外周面）４０ａは、樋状のノズル部１３が軸線Ｃに向かって開口する側の面である。液位確認部２１が設けられていることにより、収容された内容液の液位を収容部３４の外側から把握することができる。
【００３１】
液位確認部２１は、一方の側面４０ａから外方に突出し軸線方向に延びる突条に形成されている。液位確認部２１は、上方から視たときに台形状である。図３は、軸線方向において液位確認部２１を含む位置で軸線方向と直交する容器本体１００Ａの部分断面図である。図４は、図３におけるＡ−Ａ線視断面図である。
【００３２】
図３及び図４に示すように、液位確認部２１は、一方の側面４０ａからそれぞれ外方に突出する第１壁部５１、第２壁部５２と、第１壁部の外方側端部と第２壁部の外方側端部とを結ぶ第３壁部５３とを有している。
【００３３】
第１壁部５１は、軸線方向視における胴部４０の幅方向の中心線Ｃ２よりも幅方向の一方側に配置されている。第１壁部５１は、側面４０ａから外方に向かうに従って、幅方向の他方側に向かうように中心線Ｃ２に対して傾斜して配置されている。本実施形態の第１壁部５１は、最も外方側の端部において中心線Ｃ２と交差している。
【００３４】
第２壁部５２は、中心線Ｃ２を挟んで第１壁部５１とは逆側に配置されている。第２壁部５２は、側面４０ａから外方に向かうに従って、幅方向の一方側（第１壁部５１に接近する側）に向かうように中心線Ｃ２に対して傾斜して配置されている。第２壁部５２の中心線Ｃ２に対する傾斜角度は、第１壁部５１の中心線Ｃ２に対する傾斜角度よりも小さく形成されている。第１壁部５１の側面４０ａからの突出量と、第２壁部５２の側面４０ａからの突出量とは略同一である。従って、第１壁部５１の周方向の長さは、第２壁部５２の周方向の長さよりも長く形成されている。
【００３５】
第１壁部５１、第２壁部５２及び第３壁部５３の肉厚は、胴部４０の肉厚と略同一に形成されている。第１壁部５１、第２壁部５２及び第３壁部５３は、側面４０ａよりも外方に突出した位置に、収容部３４の収容空間１００ａと接続される第２収容空間２１ａを内側に形成している。
【００３６】
第１壁部５１は、内容液の液位を視認できるように、可視光が透過可能な材料により形成された透過部を構成している（以下、透過部５１と称する）。透過部５１の曇り度は、一例として、ヘイズ値で７０％以上、９８％以下である。内容液の液位を視認する点では、ヘイズ値が低く曇り度が小さいことが好ましい一方で、内容液の耐光性や容器本体１００Ａのデザイン性の点からは、透過部５１の可視光透過性や外観をできるだけ透過部５１以外の部分と近くすることが好ましい。そのため、本実施形態における容器本体１００Ａにおいては、透明性は低くなるものの、液位を視認可能な曇り度の範囲としてヘイズ値を７０％〜９８％に設定することにより、液位の視認性、内容液に対する耐光性及びデザインの一貫性を確保している。透過部５１を形成する透明性を有する材料としては、例えば、ポリプロピレン、ポリエチレン、ポリエチレンテレフタレート（ＰＥＴ）等が挙げられる。容器本体１００Ａにおける透過部５１以外の部分は、通常、内容物の耐光性やデザイン性の点から着色され、収容された内容液を視認できないようにされる。
【００３７】
第２壁部５２及び第３壁部５３は、容器本体１００Ａと同一の材料により形成されている。第２壁部５２の少なくとも一部は、透過部５１及び第２収容空間２１ａを透過した可視光の光路上に配置されている。第２壁部５２は、透過部５１及び第２収容空間２１ａを透過した可視光を非透過とする非透過部を構成している（以下、非透過部５２と称する）。非透過部５２及び容器本体１００Ａを形成する材料としては、例えば、公知の材質を使用でき、ポリエチレン、ポリプロピレン、ポリエステル等の合成樹脂材料が挙げられる。
【００３８】
非透過部５２の第２収容空間２１ａに臨む面の色と、収容空間１００ａ及び第２収容空間２１ａに収容される内容液の色との明度差は、４以上である。すなわち、非透過部５２は、収容空間１００ａ及び第２収容空間２１ａに収容される内容液の色との明度差が４以上となる材料で形成されている。非透過部５２の色と内容液の色との明度差が４以上である場合には、ヘイズ値が７０％以上、９８％以下の曇り度を有する透過部５１を介しても、内容液の液位の視認性を向上させることができる。
【００３９】
透過部５１の外周側の周方向の長さ（以下、周長と称する）は、液位確認部２１の周長（透過部５１の周長と非透過部５２の周長と第３壁部５３の周長との合計）の３０％以上、７０％以下であることが好ましい。
液位確認部２１の周長に対して透過部５１の周長が３０％未満の場合は、内容液の液位を視認するための面積が十分に取れず、視認性が低下する可能性がある。液位確認部２１の周長に対して透過部５１の周長が７０％を越えると、非透過部５２の内面をバック（背景）にして内容液の液位を見るという効果が得られ難くなり、視認性が低下する可能性がある。液位確認部２１の周長に対して透過部５１の周長が３０％以上、７０％以下の範囲であると、非透過部５２の内面を背景として液位を見ることによる視認性向上効果が十分に発揮される。
【００４０】
軸線方向と直交する断面において、第２収容空間２１ａの周方向の一端と他端との距離Ｗは、３ｍｍ以上、１５ｍｍ以下であることが好ましい。距離Ｗが３ｍｍ未満の場合、視認方向の内容液の厚さが薄くなり、非透過部５２の第２収容空間２１ａに臨む面の色と内容液の色との明度差による内容液の液位の視認性が低下する可能性がある。距離Ｗが１５ｍｍを超える場合には、非透過部５２の第２収容空間２１ａに臨む面の色と内容液の色との明度差が大きい場合でも非透過部５２の第２収容空間２１ａに臨む面の色を視認することが困難になり、結果として内容液の液位の視認性が低下する可能性がある。
【００４１】
容器本体１００Ａは、例えば、上記の合成樹脂を用いたブロー成形により一体成形されている。容器本体１００Ａは、内容物として、例えば、液体洗剤、液体漂白剤、液体柔軟剤、溶剤等の液状物を収容空間１００ａに収納する。
【００４２】
ブロー成形時におけるパーティングラインは、容器本体１００Ａの側面４０ａにおける幅方向の略中央に形成されている。すなわち、液位確認部２１は、パーティングライン上に配置されている。液位確認部２１がパーティングライン上に配置されていることにより、液位確認部２１を側面４０ａから外方に突出し軸線方向に延びる突条に成形することが容易になる。
【００４３】
次に、上記容器１００の収容部３４へ詰め替え容器から内容液を補充する手順について、図５を参照して説明する。
図５に示すように、内容液を収容した詰め替え容器である包装袋Ｐを把持しながら、注出部ＳＰの先端を樋状のノズル部１３が軸線Ｃに向かって開口する側に位置するように傾ける。
【００４４】
この操作により、包装袋Ｐに収容された内容液は、注出部ＳＰから注出され、注出用開口孔を介して収容部３４の収容空間１００ａに注がれる。収容空間１００ａに注がれる量に応じて、内容液の液位は、例えば、図４に示されるように、液位Ｆ１、Ｆ２、Ｆ３と上昇する。
【００４５】
内容液の液位は、可視光に対して透過性を有する透過部５１を介した視認方向ＡＲにて視認可能である。ここで、透過部５１は、ヘイズ値が７０％以上、９８％以下の曇り度であるため、明瞭に液位を視認できるとは限らないが、透過部５１及び第２収容空間２１ａを透過した可視光の光路上に配置された非透過部５２の第２収容空間２１ａに臨む面の色と内容液の色との明度差が４以上であるため、透過部５１が上記の曇り度であっても内容液の液位Ｆ１、Ｆ２、Ｆ３を容易に視認することが可能である。また、第２収容空間２１ａの周方向の一端と他端との距離Ｗが３ｍｍ以上、１５ｍｍ以下であるため、距離Ｗが下限値未満または上限値を超えた場合のように、内容液の視認性が低下したり、非透過部５２の視認性が低下したりすることなく液位を視認することができる。
【００４６】
また、透過部５１の外周側の周長は、液位確認部２１の周長の３０％以上、７０％以下であるため、内容液の液位を視認するための透過部５１の幅、及び内容液の液位を視認する際の背景となる非透過部５２の幅を十分に確保することが可能になる。また、本実施形態の容器１００では、樋状のノズル部１３が軸線Ｃに向かって開口する側に液位確認部２１が配置されているため、内容液の漏れを防ぐために注出部ＳＰの位置を確認しながらの作業で視線方向の変更が困難な状況でも、内容液の液位を容易に視認することが可能である。
【００４７】
[第２実施形態]
次に、容器の第２実施形態について、図６及び図７を参照して説明する。
図６（ａ）は、第２実施形態に係る容器１１０の正面図である。図６（ｂ）は、容器１１０の右側面図である。図７は、図６（ａ）におけるＢ−Ｂ線視断面図である。
これらの図において、図１乃至図５に示す第１実施形態の構成要素と同一の要素については同一符号を付し、その説明を省略する。
【００４８】
容器１１０の胴部４０は、軸線方向視において幅方向に間隔をあけて配置され長手方向に延びる一対の側面部４０ｃを有している。側面部４０ｃは、軸線方向に延びる曲面によって形成されている。
【００４９】
一対の側面部４０ｃの端部同士は、角部３０によって繋がれている。角部３０は、側面部４０ｃと交差する稜線が、図６（ａ）に示されるように、下方から上方に向かうに従って漸次広がる略Ｖ字状に延びデザイン性を向上させている。また、角部３０は、一対の側面部４０ｃを仮想的に延長した領域よりも小さい領域に形成されている。従って、角部３０が設けられていることにより、上方から視た場合に長さ方向の両端がシャープなエッジ形状となりさらにデザイン性を向上させている。
【００５０】
本実施形態における液位確認部２１は、胴部４０における正面側の長さ方向の一方側（図６（ａ）における右側）縁部に配置された透過部５１と、胴部４０における背面側の長さ方向の一方側（図６（ａ）における右側）縁部に配置された非透過部５２とによって構成されている。透過部５１は、胴部４０の高さ方向で一定幅に設けられている。
【００５１】
透過部５１及び非透過部５２で形成される略Ｖ字状の液位確認部２１の周長に対して、透過部５１の周長は３０％以上、７０％以下に形成されている。第２収容空間２１ａは、軸線方向と直交する断面視において、角部３０と透過部５１との交差部、側面部４０ｃと非透過部５２との交差部、透過部５１と非透過部５２との交差部で囲まれた三角形の断面形状に形成されている。透過部５１及び非透過部５２の材質、透過部５１の曇り度、非透過部５２の第２収容空間２１ａに臨む面の色と内容液の色との明度差は、上記第１実施形態と同様である。
【００５２】
また、収容空間１００ａ及び第２収容空間２１ａに臨む面における、角部３０と透過部５１との交差部と、側面部４０ｃと非透過部５２との交差部との距離は、３ｍｍ以上、１５ｍｍ以下に形成されている。
【００５３】
上記構成の容器１１０に対して収容空間１００ａに内容液を補充すると、収容空間１００ａに注がれる量に応じて、内容液の液位は、例えば、図６（ａ）、（ｂ）に示されるように、液位Ｆ１、Ｆ２、Ｆ３と上昇する。内容液の液位は、非透過部５２の第２収容空間２１ａに臨む面の色と内容液の色との明度差が４以上であるため、透過部５１がヘイズ値７０％以上、９８％以下の曇り度であっても内容液の液位Ｆ１、Ｆ２、Ｆ３を容易に視認することが可能である。
【００５４】
このように、本実施形態においても、液位確認部２１を構成する透過部５１が胴部４０の高さ方向で一定幅に設けられているため、上記第１実施形態と同様の作用・効果が得られる。そのため、本実施形態の容器１１０では、注出部ＳＰの位置を確認しながらの作業で視線方向の変更が困難な状況でも、内容液の補充停止が間に合わずに内容液が溢れてしまうということを防止することができる。
【００５５】
なお、第２実施形態の容器１１０では、透過部５１が胴部４０の高さ方向で一定幅に設けられている構成を例示したが、この構成に限定されない。例えば、透過部５１の幅が上方に向かって広くなる、または狭くなるように変化する構成であってもよい。この構成を採ることにより、補充に伴う内容液の液位を容易に視認することができる。
【００５６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００５７】
例えば、上記第１実施形態では、液位確認部２１が一方の側面４０ａから外方に突出し軸線方向に延びる突条に形成されている構成を例示したが、この構成に限定されない。
例えば、図８に示すように、側面４０ａに内方に窪んで設けられた窪み部４０ｄから外方に吐出する液位確認部２１であってもよい。この場合、第３壁部５３は、側面４０ａと面一であることが好ましい。
【００５８】
この構成の容器では、上記第１実施形態の容器１００と同様の作用・効果が得られることに加えて、容器１００の最大幅及び最大長さが液位確認部２１を設けない場合と同一寸法となるため、搬送用段ボール等の大きさを変更する必要がなくなる。また、容器本体１００Ａの外周をシュリンクフィルムで包装する場合においても、局所的に突出した箇所がないため安定した包装が可能になる。
【００５９】
また、上記第１実施形態では、液位確認部２１が上方から視たときに台形状である構成を例示し、上記第２実施形態では液位確認部２１が上方から視たときに三角形状である構成を例示したが、可視光を透過する透過部５１と、透過部５１及び第２収容空間２１ａを透過した可視光の光路上に配置された非透過部５２とを有する構成であれば、この構成に限定されない。例えば、図９に示すように、一方の側面４０ａから外方に突出する断面半円形状の液位確認部２１であってもよい。
【符号の説明】
【００６０】
１０…ノズルキャップ（中栓）、  １３…ノズル部（注出ノズル）、  ２１…液位確認部、  ２１ａ…第２収容空間、  ３０…角部、  ３４…収容部、  ３８…底面部、  ４０…胴部、  ４０ａ…側面、  ４０ｃ…側面部、  ４０ｄ…窪み部、  ５１…透過部、  ５２…非透過部、  １００、１１０…容器、  １００ａ…収容空間、  １０１…口部
【図１】
2018199522.tif 000003
【図２】
2018199522.tif 000004
【図３】
2018199522.tif 000005
【図４】
2018199522.tif 000006
【図５】
2018199522.tif 000007
【図６】
2018199522.tif 000008
【図７】
2018199522.tif 000009
【図８】
2018199522.tif 000010
【図９】
2018199522.tif 000011